(57)【要約】【課題】本願の課題は、通信網を介して移動端末にダウンロードしたプログラムを利用して移動端末に所望の動作を行わせ、ダウンロードに必要な情報の入手及び入力の煩わしさを軽減することが可能な情報提供システムを提供することである。【解決手段】移動端末に所望の動作を行わせるためのアプリケーションプログラムを、通信網を介して提供する情報提供システムは、アプリケーションプログラムを有するサイトと、アプリケーションプログラム及びアプリケーションデータを書き込むことが可能な内部記憶手段を有し、通信網を利用した通信をすることが可能な移動端末と、移動端末に取り外し可能に接続され、移動端末との間で信号の送受信を行うための通信手段を有する外部記憶装置を有する。外部記憶装置は、通信網にて前記サイトを指定するためのサイト情報と、アプリケーションデータとを格納する。【選択図】  図２
2004282359.tif 000002
【特許請求の範囲】
【請求項１】
移動端末にアプリケーションプログラムを提供する情報提供システムであって、
前記アプリケーションプログラム及び該アプリケーションプログラムの実行に必要なアプリケーションデータを書き込むことが可能な内部記憶手段を有し、前記通信網を利用した通信をすることが可能な移動端末と、
前記移動端末に取り外し可能に接続され、前記移動端末との間で信号の送受信を行うための通信手段を有する外部記憶装置とを有し、前記外部記憶装置が、
前記通信網にてサイトを指定するためのサイト情報と、前記アプリケーションデータとを格納することを特徴とする情報提供システム。
【請求項２】
通信網を介してダウンロードしたアプリケーションプログラムを実行する移動端末に、取り外し可能に接続される外部記憶装置であって、
前記移動端末との間で信号の送受信を行うための通信手段と、記憶手段を有し、前記記憶手段が、
前記通信網に接続され、アプリケーションプログラムを格納するサイトを指定するためのサイト情報と、
前記アプリケーションプログラムを実行するのに必要なアプリケーションデータとを格納することを特徴とする外部記憶装置。
【請求項３】
前記外部記憶装置が、前記移動端末からの要請に応じて、アプリケーションデータを前記移動端末に送信することを特徴とする請求項２記載の外部記憶装置。
【請求項４】
移動端末にアプリケーションプログラムを、通信網を介して提供する手順を実行させる情報提供プログラムであって、
移動端末に取り外し可能に接続された外部記憶装置が、前記アプリケーションプログラムを格納しているサイトを指定するためのサイト情報を、前記移動端末に送信するステップと、
前記サイト情報を利用して、前記移動端末が前記サイトにアクセスするステップと、
前記移動端末の内部記憶手段に、前記アプリケーションプログラムを前記サイトからダウンロードするステップを実行させることを特徴とする情報提供プログラム。
【請求項５】
更に、前記外部記憶装置が、前記移動端末からの要請に応じて、アプリケーションデータを前記移動端末に送信するステップを実行させることを特徴とする請求項４記載の情報提供プログラム。
【発明の詳細な説明】
【０００１】
【発明の属する技術分野】
本発明は、一般に情報配信の技術分野に関連し、特に所望の動作を行わせるためのアプリケーションプログラムを移動端末にダウンロードさせる情報提供システム、その情報提供システムに使用される外部記憶装置及び情報提供プログラムに関連する。
【０００２】
【従来の技術】
移動通信システムでは、例えばインターネット網のような通信網を介してアプリケーションプログラム及びそれに付随するアプリケーションデータを移動端末にダウンロードさせ、その移動端末に所望の動作を行わせるサービスがある。
【０００３】
図１は、そのようなサービスを提供する従来の情報提供システムの全体図を示す。情報提供システム１００は、携帯電話機のような移動端末１０２と、この移動端末１０２が通信することの可能な通信網１０４と、通信網１０４に接続されたサイト１０６を有する。通信網１０４は、例えばインターネット網である。サイト１０６は、そこにアクセスして来た者に配信することの可能なアプリケーションプログラム１０８と、アプリケーションプログラム１０８を動作させるのに必要なアプリケーションデータ１１０を有する。サイト１０６には、多種多様のアプリケーションプログラム１０８及びそれに付随するアプリケーションデータ１１０が用意されている。
【０００４】
動作時にあっては、先ず、移動端末１０２のユーザは、自己の移動端末にダウンロードしたいアプリケーションプログラムの入手先に関する情報を取得する。
この情報（サイト情報）は、書籍、雑誌、ホームページその他の媒体から入手することが可能であり、例えばユニフォームリソースロケータ（ＵＲＬ：Ｕｎｉｆｏｒｍ  Ｒｅｓｏｕｒｃｅ  Ｌｏｃａｔｏｒｓ）である。ユーザは、入手したＵＲＬ（簡単のため、サイト情報がＵＲＬであるとする。）を移動端末１０２に入力し、通信網１０４を通じて（１）、そのＵＲＬの指定するサイト１０６にアクセスする（２）。サイト１０６には、時刻表、辞典、地図、ゲームのような多種多様な動作を実行させるためのアプリケーションプログラムが用意されている。
ユーザは、所望のアプリケーションプログラム１０８を特定し、それを移動端末１０２にダウンロードする（３）。この場合において、アプリケーションプログラム１０８と供に、アプリケーションデータ１１０も必要に応じてダウンロードされる。アプリケーションデータ１１０は、アプリケーションプログラム１０８の動作に必要なデータである。例えば、地図の例を想定すると、道路、建物その他の地理に関するデータがアプリケーションデータに相当し、指定された場所を検索したり、目的地周辺を表示させたりするプログラムがアプリケーションプログラムに相当する。
【０００５】
このような従来の手法に関連する情報提供システムは、例えば特許文献１，２，３に開示されている。
【０００６】
【特許文献１】
特開２００２−１９７２８６号公報
【０００７】
【特許文献２】
特開２００１−３５７０１９号公報
【０００８】
【特許文献３】
特開２００２−２９７１５５号公報
【０００９】
【発明が解決しようとする課題】
しかしながら、従来の手法によれば、所望のサイト１０６に関する情報（ＵＲＬに関する情報）を探し出すこと、及びそのＵＲＬを移動端末に入力することは手作業で行う必要があり、煩わしいという問題がある。
【００１０】
アプリケーションプログラム等をダウンロードするために移動端末内部に確保されているメモリは、例えば数十キロバイト程度であり、さほど大きくない。このため、多数のアプリケーションプログラム等を移動端末に格納することは困難であり、メモリ容量を超える場合には上書きする必要がある。しかしながら、上書きが行われると、たとえそれを有料で入手していたとしてもその情報は失われる。従って、上書きによって消去されたアプリケーションプログラムの動作を移動端末に行わせる場合には、再びＵＲＬを入力し、ダウンロードしなければならず、煩わしいという問題がある。ダウンロードが有償の場合は、費用の面でも不都合である。移動端末のメモリ容量は、機種によってまちまちであるため、小さなメモリ容量しか使用できない移動端末（特に、携帯電話機）は不利である。
【００１１】
一方、移動端末へのダウンロードの際には、上述したようにアプリケーションプログラム及びそれに付随するアプリケーションデータが通信網を介して伝送される。この伝送に要する通信時間の長短は、アプリケーションプログラムの内容によって異なる。特に、アプリケーションデータは文字情報だけでなく、静止画像や動画像に関する情報をも包含し得るので、通信時間は一般にアプリケーションプログラムよりもアプリケーションデータの内容に依存して大きく変化する。
この通信時間が長くなると、それだけ通信料金が増加する。したがって、アプリケーションプログラム等のダウンロードを頻繁に行うことは、有料の情報を再度ダウンロードする場合があり得ることに加えて、通信料金の観点からも不利である。
【００１２】
なお、上記の特許文献１ないし３によれば、ＩＣカードを利用して、所望のサイトに関する情報入力の煩わしさを軽減させることが可能である。しかしながら、そのようなサイトを探し出すこと及びダウンロードの煩わしさ、ダウンロードに起因する通信料金の増加等の上記の問題を解決するものではない。
【００１３】
本願の課題は、通信網を介して移動端末にダウンロードしたプログラムを利用して移動端末に所望の動作を行わせ、ダウンロードに必要な情報の入手及び入力の煩わしさを軽減することが可能な情報提供システム、該情報提供システムに使用される外部記憶装置及び情報提供プログラムを提供することである。
【００１４】
本願の別の課題は、通信網を介して移動端末にダウンロードしたプログラムを利用して移動端末に所望の動作を行わせ、ダウンロードに必要な情報の入手及び入力の煩わしさを軽減し、ダウンロードに起因して発生する費用を抑制することが可能な情報提供システム、該情報提供システムに使用される外部記憶装置及び情報提供プログラムを提供することである。
【００１５】
【課題を解決するための手段】
本発明によれば、
移動端末に所望の動作を行わせるためのアプリケーションプログラムを、通信網を介して提供する情報提供システムであって、
前記通信網に接続され、前記アプリケーションプログラムを有するサイトと、前記アプリケーションプログラム及び該アプリケーションプログラムの実行に必要なアプリケーションデータを書き込むことが可能な内部記憶手段を有し、前記通信網を利用した通信をすることが可能な移動端末と、
前記移動端末に取り外し可能に接続され、前記移動端末との間で信号の送受信を行うための通信手段を有する外部記憶装置を有し、前記外部記憶装置が、
前記通信網にて前記サイトを指定するためのサイト情報と、前記アプリケーションデータとを格納することを特徴とする情報提供システムが、提供される。
【００１６】
【発明の実施の形態】
図２は、本願実施例による情報提供システムの全体図を示す。図示されているように、情報提供システム２００は、例えば携帯電話機である移動端末２０２と、この移動端末２０２が通信をすることの可能な通信網２０４と、通信網２０４に接続されたサイト２０６を有する。サイト２０６には、移動端末２０２に所定の動作を実行させるためのアプリケーションプログラム２０８が格納されている。移動端末２０２には、取り外し可能な外部記憶装置２１０が接続されている。
外部記憶装置２１０は、様々なアプリケーションプログラム２０８の各々に関連するアプリケーションデータと、サイト２０６を指定するためのサイト情報（ＵＲＬ情報）が格納されている。
【００１７】
図３は、移動端末の本発明に特に関連する機能についてのブロック図を示す。移動端末２０２は、通信網２０４との間の通信のための第１通信インターフェース部３０２を有する。移動端末２０２は、外部記憶装置２１０との間の通信のための第２通信インターフェース部３０４を有する。この第２通信インターフェース部３０４は、例えば１６ピンの複数の端子を有するインターフェースであるが、必ずしもこれに限定されない。例えば、第２通信インターフェース部３０４としては、シリアルインターフェースや、ユニバーサルシリアルバス（ＵＳＢ：Ｕｎｉｖｅｒｓａｌ  Ｓｅｒｉａｌ  Ｂｕｓ）インターフェース、赤外線を利用したインターフェース、カメラ付き移動端末の画像認識用インターフェース等を利用することも可能である。
【００１８】
移動端末２０２は、アプリケーションプログラム及びそれに付随するアプリケーションデータを格納することが可能なメモリ３０６を有する。移動端末２０２は、ユーザインターフェース３０８を有し、これは例えば、移動端末の表示画面のようなユーザに情報を与える部分と、キーパッドやボタンのようなユーザからの情報を受ける部分とを含む。移動端末２０２は、移動端末内の各要素の動作を制御するコントローラ３１０を有する。更に、移動端末２０２は、携帯電話機のような所定の通信機器としての他の一般的な機能を実現するための機能要素３１２を有する。
【００１９】
動作について概説すると、先ずユーザは、外部記憶装置２１０を移動端末２０２に接続する。これに応答して移動端末は外部記憶装置２１０から得られたＵＲＬを利用して通信を開始（１）し、そのＵＲＬの指定するサイト２０６にアクセスする（２）。ユーザは、所望のアプリケーションプログラム２０８を特定し、それを移動端末２０２にダウンロードする（３）。従来とは異なり、アプリケーションプログラムの動作に必要なアプリケーションデータのダウンロードは行われない。
【００２０】
図４は、本願実施例による外部記憶装置２１０のブロック図を示す。外部記憶装置２１０は、移動端末２０２との通信を行うためのインターフェース部４０２を有する。外部通信装置２１０は、所定の情報を格納する記憶部４０４を有する。外部記憶装置２１０は、インターフェース部４０２及び記憶部４０４の動作を制御するコントローラ４０６を有する。
【００２１】
記憶部４０４は、例えばフラッシュメモリより成るが、電力が供給されていなくてもデータを保持することが可能であれば、他の不揮発性メモリを使用することも可能である。ただし、コスト、汎用性及び動作の信頼性等の観点からはフラッシュメモリを利用することが望ましい。記憶部４０４には、通信網におけるサイト２０６の場所を特定するためのサイト情報４０８が格納されている。このサイト情報４０８は、ＵＲＬ情報として与えることが可能である。記憶部４０４には、サイト２０６に格納されているアプリケーションプログラム２０８を動作させる際に必要なアプリケーションデータ４１０が格納されている。更に、記憶部４０４には情報提供プログラム４１２が格納されており、この情報提供プログラム４１２が起動することで、以下の図５に関して説明する動作が行われる。
【００２２】
以下、図５を参照しながら本願実施例における動作を説明する。前提として、移動端末２０２のユーザは適切な外部記憶装置２１０を入手し、この外部記憶装置２１０には、自己の移動端末２０２に所望の動作を実行させるためのアプリケーションプログラムを有するサイト２０６のサイト情報２０８が含まれている。このような外部記憶装置２１０は、有償又は無償で取引されることが可能であるとする。例えば、時刻表や地図に関するアプリケーションプログラムを動作させることを意図する場合には、ユーザは、そのようなアプリケーションプログラムを有するサイトのサイト情報を含む外部記憶装置２１０を、有償又は無償で入手しておく。
【００２３】
ステップ５０２では、移動端末２０２に外部記憶装置２１０が物理的及び電気的に接続される。この接続は、上述したように例えば１６ピンインターフェースを用いて行われる。
【００２４】
ステップ５０４では、移動端末２０２と外部記憶装置２１０（図２）とが接続されたことによって、外部記憶装置２１０内の情報提供プログラム４１２（図４）が起動する。これにより、ＵＲＬのようなサイト情報４０８が、インターフェース部４０２を通じて移動端末２０２に転送される。
【００２５】
ステップ５０６では、転送されてきたサイト情報４０８を利用して、サイト２０６にアクセスする。ここまでの間に、ユーザは、移動端末２０２に何らの情報も入力する必要がない点に留意を要する。
【００２６】
ステップ５０８では、サイト２０６は、ダウンロードさせることの可能なアプリケーションプログラム２０８を列挙し、移動端末２０２のユーザの意思表示を待つ。ユーザは、自己の移動端末２０２に実行させたいアプリケーションプログラムを選択し、ステップ５１０にてそれをダウンロードする。
【００２７】
ステップ５１２に示されるように、ダウンロードされたアプリケーションプログラム２０８は、移動端末２０２の第１通信インターフェース部３０２を通じてメモリ３０６（図３）に格納される。
【００２８】
ステップ５１４では、ダウンロードしたアプリケーションプログラム２０８を起動するように、ユーザが移動端末２０２のユーザインターフェース部３０８を操作する。
【００２９】
ステップ５１６に示されるように、アプリケーションプログラム２０８の起動に応答して、外部記憶装置２１０から移動端末２０２に目次データが転送され、その目次データの内容がユーザインターフェース部３０８により表示される。
【００３０】
ステップ５１８に示されるように、ユーザは、目次に表示された項目の内、目下実行させようとしているアプリケーションプログラムに対応する項目を選択する。
【００３１】
ステップ５２０では、その選択動作に応答して、移動端末２０２は、起動中のアプリケーションプログラム２０８に関連するアプリケーションデータを、外部記憶装置２１０に要求する。
【００３２】
ステップ５２２に示されるように、この要求に応じて、外部記憶装置２１０は、指定されたアプリケーションデータを、インターフェース部４０２を通じて移動端末２０２に転送する。
【００３３】
ステップ５２４に示されるように、そのアプリケーションデータは、移動端末２０２の第２通信インターフェース部３０４を通じてメモリ３０６に格納される。
【００３４】
ステップ５２６では、アプリケーションプログラム２０８が、それに関連するアプリケーションデータ４１０を利用しながら、所望の動作を実行する。
【００３５】
上記実施例では、移動端末２０２のユーザが、所望の外部記憶装置２１０を有償又は無償で自ら入手するような利用形態を想定していた。そのような利用形態としては、例えば電子百科事典、時刻表、ゲーム等を利用する場合があり得る。
しかしながら、本発明の利用形態はそれらに限定されず、様々なものがあり得る。例えば、情報を提供する側が、移動端末のユーザに、所定の外部記憶装置を使用させる場合もあり得る。例えば、美術館や博物館における説明又はガイダンスを行うアプリケーションプログラムを、入館者の移動端末にダウンロードさせることが可能である。更に、顧客サービスの一環として、特定の顧客に所定の外部記憶装置を譲渡する又は貸し渡すことも可能である。一般に、携帯電話機に本発明による外部記憶装置を接続する場合には、その外部記憶装置内のアプリケーションデータをプリンタに印刷したり、電子情報として取り出すことは、容易であるとは言えない。このため、比較的重要な企業情報であっても、ある程度のセキュリティレベルを維持しつつ、特定の者（例えば、その企業を実際に訪問して来た者）にそれを提示することが可能になる。更に、セキュリティレベルを維持する観点からは、外部記憶装置を譲渡した後の一定期間経過後には、外部記憶装置からアプリケーションデータが移動端末に転送されないように時間的制限を設定することも有利である。
【００３６】
以上本願実施例によれば、サイト情報及びアプリケーションデータを有する外部記憶装置が移動端末に取り外し可能に接続され、移動端末はこの記憶内容を利用して、アプリケーションプログラムの配信を行うサイトにアクセスすることが可能になる。このため、サイト情報の入力等に関する煩わしさを軽減することが可能になる。ユーザが一旦その外部記憶装置を入手すれば、外部記憶装置に格納されているアプリケーションデータを以後に何度でも利用することが可能になる。移動端末に新たな動作を行わせる場合には、その動作を行わせるためのアプリケーションプログラム及びアプリケーションデータを、メモリ（図３の３０６）に書き込む必要があり、メモリ容量に空きが無ければ上書きする必要がある。この場合に、アプリケーションデータよりも一般に情報量が少ないアプリケーションプログラムは、通信網を通じて再びダウンロードしなければならないが、アプリケーションプログラムの動作に必要なアプリケーションデータは、外部記憶装置に格納されているので、従来のように通信網を経由してそれをダウンロードしなくて済む（適切な外部記憶装置が移動端末に接続されていることを前提とする。）。ダウンロードに要する通信時間は、アプリケーションプログラムに加えてアプリケーションデータをもダウンロードしていた従来の通信時間よりも少なくて済むので、通信費用を従来よりも節約することが可能になる。
【００３７】
アプリケーションプログラムを提供するサイトが、従来のサイト１０６（図１）と本願実施例によるサイト２０６（図２）の両者に共通する場合には、そのサイトは、そこにアクセスしてきた者が、本発明によるダウンロード及び従来技術によるダウンロードの何れを行う者であるかを区別する必要がある。これを行うためには、例えば、外部記憶装置２１０がサイト情報を移動端末２０２に送信する際に（図５のステップ５０４）、外部記憶装置に固有のシリアル番号も送信することが有利である。シリアル番号の有無又はその内容を検査することで、サイトにアクセスしてきた者が、本発明によるダウンロードを行うべき者であるか否かを区別することが可能になる。
【００３８】
本願実施例によれば、外部記憶装置の記憶部はフラッシュメモリのような不揮発性メモリより成る。外部記憶装置に電力が供給されていなかったとしても、記憶部内の情報は失われない。従って、外部記憶装置を移動端末とは別に有償又は無償で取引することが可能になる。特に、通信網を通じてダウンロードするアプリケーションプログラム自体は無償で提供し、アプリケーションデータ（すなわち、外部記憶装置）を有償とすることは、ダウンロードに伴う通信費用を節約しつつ移動端末に付加価値の高い動作を行わせ得る点で有利である。また、従来は、ダウンロードを有償にするとしても上書きにより消去されてしまう虞があったので、価格を廉価に設定せざるを得なかった。しかし、本願実施例によればそのような事情はないので、従来よりも更に付加価値の高い動作を行わせることも可能になり、サービス内容の幅が広がる点で本発明は有利である。
【００３９】
以下、本発明が教示する手段を列挙する。
【００４０】
（付記１）  移動端末に所望の動作を行わせるためのアプリケーションプログラムを、通信網を介して提供する情報提供システムであって、
前記通信網に接続され、前記アプリケーションプログラムを有するサイトと、前記アプリケーションプログラム及び該アプリケーションプログラムの実行に必要なアプリケーションデータを書き込むことが可能な内部記憶手段を有し、前記通信網を利用した通信をすることが可能な移動端末と、
前記移動端末に取り外し可能に接続され、前記移動端末との間で信号の送受信を行うための通信手段を有する外部記憶装置を有し、前記外部記憶装置が、
前記通信網にて前記サイトを指定するためのサイト情報と、前記アプリケーションデータとを格納することを特徴とする情報提供システム。
【００４１】
（付記２）  前記外部記憶装置が、該外部記憶装置に固有のシリアル番号、及び前記サイト情報を前記移動端末に送信することを特徴とする付記１記載の情報提供システム。
【００４２】
（付記３）  前記外部記憶装置が、前記移動端末からの要請に応じて、アプリケーションデータを前記移動端末に送信することを特徴とする付記１記載の情報提供システム。
【００４３】
（付記４）  通信網を介してダウンロードしたアプリケーションプログラムを実行する移動端末に、取り外し可能に接続される外部記憶装置であって、
前記移動端末との間で信号の送受信を行うための通信手段と、記憶手段を有し、前記記憶手段が、
前記通信網に接続され、アプリケーションプログラムを格納するサイトを指定するためのサイト情報と、
前記アプリケーションプログラムを実行するのに必要なアプリケーションデータとを格納することを特徴とする外部記憶装置。
【００４４】
（付記５）  前記記憶手段が、不揮発性メモリより成ることを特徴とする付記４記載の外部記憶装置。
【００４５】
（付記６）  前記外部記憶装置が、該外部記憶装置に固有のシリアル番号、及び前記サイト情報を前記移動端末に送信することを特徴とする付記４記載の外部記憶装置。
【００４６】
（付記７）  前記外部記憶装置が、前記移動端末からの要請に応じて、アプリケーションデータを前記移動端末に送信することを特徴とする付記４記載の外部記憶装置。
【００４７】
（付記８）  移動端末に所望の動作を行わせるためのアプリケーションプログラムを、通信網を介して提供する手順を実行させる情報提供プログラムであって、
移動端末に取り外し可能に接続された外部記憶装置が、前記アプリケーションプログラムを格納しているサイトを指定するためのサイト情報を、前記移動端末に送信するステップと、
前記サイト情報を利用して、前記移動端末が前記サイトにアクセスするステップと、
前記移動端末の内部記憶手段に、前記アプリケーションプログラムを前記サイトからダウンロードするステップを実行させることを特徴とする情報提供プログラム。
【００４８】
（付記９）  前記外部記憶装置が前記サイト情報を前記移動端末に送信する際に、前記外部記憶装置に固有のシリアル番号も送信されることを特徴とする付記８記載の情報提供プログラム。
【００４９】
（付記１０）  更に、前記外部記憶装置が、前記移動端末からの要請に応じて、アプリケーションデータを前記移動端末に送信するステップを実行させることを特徴とする付記８記載の情報提供プログラム。
【００５０】
【発明の効果】
以上のように本発明によれば、通信網を介して移動端末にダウンロードしたプログラムを利用して移動端末に所望の動作を行わせ、ダウンロードに必要な情報の入手及び入力の煩わしさを軽減させることが可能になる。更に、ダウンロードに起因して発生する費用を抑制することも可能になる。
【００５１】
【図面の簡単な説明】
【図１】図１は、従来の情報提供システムの全体図を示す。
【図２】図２は、本願実施例による情報提供システムの全体図を示す。
【図３】図３は、移動端末の主要な機能に関するブロック図を示す。
【図４】図４は、本願実施例による外部記憶装置のブロック図を示す。
【図５】図５は、本願実施例による動作を示すフローチャートである。
【符号の説明】
１０２  移動端末
１０４  通信網
１０６  サイト
１０８  アプリケーションプログラム
１１０  アプリケーションデータ
２０２  移動端末
２０４  通信網
２０６  サイト
２０８  アプリケーションプログラム
２１０  外部記憶装置
３０２  第１通信インターフェース部
３０４  第２通信インターフェース部
３０６  メモリ
３０８  ユーザインターフェース
３１０  コントローラ
３１２  機能要素
４０２  インターフェース部
４０４  記憶部
４０６  コントローラ
４０８  サイト情報
４１０  アプリケーションデータ
４１２  情報提供プログラム
【図１】
2004282359.tif 000003
【図２】
2004282359.tif 000004
【図３】
2004282359.tif 000005
【図４】
2004282359.tif 000006
【図５】
2004282359.tif 000007